Podtech/llm-jp-corpus-v4-ja_patent huggingface dataset:
【手続補正書】
【提出日】平成21年6月25日(2009.6.25)
【手続補正１】
【補正対象書類名】特許請求の範囲
【補正対象項目名】請求項５
【補正方法】変更
【補正の内容】
【請求項５】
ブレンドの１００℃での動粘度が４０ｍｍ２／秒未満である請求項３又は４に記載の油ブレンド。
【手続補正２】
【補正対象書類名】特許請求の範囲
【補正対象項目名】請求項１５
【補正方法】変更
【補正の内容】
【請求項１５】
請求項３〜９のいずれか１項に記載の基油ブレンドを、バンバリーミキサーのニーダー油として、印刷インクの担体油として、添加剤用担体油として、金属鋳造用砂バインダーとして、カーボンブラック用担体油として、電線及び電気ケーブル絶縁材料用増量油として、ダストバインダー油として使用する方法。
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
式
【化１】
2009511649.tif 000001
［式中、
Ｒ1は、水素原子；炭素原子数１ないし１２のアルキル基；又はフェニル−炭素原子数１
ないし４のアルキル基を表わし；
Ｘは、炭素原子数１ないし１２のアルキレン基；炭素原子数２ないし１２のアルケニレン基；炭素原子数５ないし１０のシクロアルキレン基；炭素原子数５ないし１０のアリーレン基；又は炭素原子数５ないし１０のアリーレン−炭素原子数１ないし１０のアルキレン基を表わし；
Ｙは、式
【化２】
2009511649.tif 000002
（式中、
Ｒ2は、水素原子；又は炭素原子数１ないし５のアルキル基を表わし；
Ｒ3は、式
【化３】
2009511649.tif 000003
で表わされる基を表わすか；又は、
Ｒ2及びＲ3は、結合している炭素原子1Ｃと一緒になって、所望により縮合芳香族系であ
り得、かつヘテロ原子を１つ以上含み得る６ないし１０員の炭素環を形成し；
Ｒ4、Ｒ5及びＲ6は、互いに独立して、水素原子又は炭素原子数１ないし５のアルキル基
を表わす。）に相当する有機染料の残基を表わし；
Ｚは、Ｈ；又は式
【化４】
2009511649.tif 000004
（式中、
Ａは、Ｏ；Ｓ；又はＮ−Ｒ9を表わし；
Ｂは、−ＯＲ7；−ＮＲ7Ｒ8；又は−ＳＲ7を表わし；及び、
Ｒ7、Ｒ8及びＲ9は、互いに独立して、水素原子；炭素原子数１ないし１２のアルキル基
；炭素原子数６ないし１２のアリール基；又は炭素原子数６ないし１２のアリール−炭素原子数１ないし１２のアルキル基を表わす。）で表わされるチオエステル基を表わす。］で表わされる化合物。
【請求項２】
式（２）で表わされる化合物の製造方法であって、以下の反応スキーム
【化５】
2009511649.tif 000005
（ここで、Ｒ3は、式
【化６】
2009511649.tif 000006
で表わされる基を表わし；
かつ、Ｒ2は、いっせいに水素原子を表わすか；又は、
Ｒ2及びＲ3は、式（２）の結合した炭素原子1Ｃと一緒になって、式
【化７】
2009511649.tif 000007
で表わされる縮合炭素環を形成し；
Ｈａｌは、ハロゲン原子を表わし；
Ｒ1、Ｘ及びＺは、請求項１で定義した通りである。）に従って、式（１ｃ）で表わされ
るアミノベンズアルデヒド化合物と活性メチレン系化合物Ｒ3Ｈを縮合して、式（１ｄ）
で表わされる化合物とし、その後、該化合物をアルキル化して式（２）で表わされる化合物を得ることを含む方法。
【請求項３】
ケラチン含有繊維の染色方法であって、該繊維を式（１）で表わされる染料の少なくとも１種で処理することを含む方法。
【請求項４】
請求項１で定義した式（１）で表わされる染料を少なくとも１種含む、組成物。
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
バインダー成分と架橋成分とを含む溶剤系コーティング組成物であって、前記バインダー成分が、
Ａ）１分子当たり少なくとも２つの第２級ヒドロキシル基を有し、数平均分子量Ｍｎが２００〜５，０００の範囲にあり、多分散性が＜２の少なくとも１つのヒドロキシ官能性ポリエーテルであって、
Ａａ）少なくとも３つのヒドロキシル基を有する少なくとも１つのポリオールと、
Ａｂ）１分子中５個の炭素原子を有する分岐モノカルボン酸の少なくとも１つのモノグリシジルエステルと
から得られるポリエーテルＡ）を含み、
前記架橋成分が、
Ｂ）ヒドロキシ官能性ポリエーテルＡ）のヒドロキシル基と架橋反応可能な少なくとも１つの架橋剤を含む、コーティング組成物。
【請求項２】
請求項１に記載の溶剤系コーティング組成物を用いて、多層コーティングを基材に適用するステップと、前記コーティングを硬化するステップとを含む方法。
【手続補正２】
【補正対象書類名】明細書
【補正対象項目名】００７０
【補正方法】変更
【補正の内容】
【００７０】
・コーティングのフィルム硬さにおける変化を、Ｂｒａｉｖｅ  Ｉｎｓｔｒｕｍｅｎｔｓ（Ｂｅｌｇｉｕｍ）より供給されたＰｅｒｓｏｚ硬さテスターを用いることにより、時間に対して測定した。振動数（Ｐｅｒｓｏｚ数と呼ぶ）を記録した。
次に、本発明の好ましい態様を示す。
1.  バインダー成分と架橋成分とを含む溶剤系コーティング組成物であって、前記バインダー成分が、
Ａ）１分子当たり少なくとも２つの第２級ヒドロキシル基を有し、数平均分子量Ｍｎが２００〜５，０００の範囲にあり、多分散性が＜２の少なくとも１つのヒドロキシ官能性ポリエーテルであって、
Ａａ）少なくとも３つのヒドロキシル基を有する少なくとも１つのポリオールと、
Ａｂ）１分子中５個の炭素原子を有する分岐モノカルボン酸の少なくとも１つのモノグリシジルエステルと
から得られるポリエーテルＡ）を含み、
前記架橋成分が、
Ｂ）ヒドロキシ官能性ポリエーテルＡ）のヒドロキシル基と架橋反応可能な少なくとも１つの架橋剤を含む、コーティング組成物。
2.  前記バインダー成分が、８０〜１００重量パーセントの少なくとも１つのヒドロキシ官能性ポリエーテルＡ）を含む上記１に記載のコーティング組成物。
3.  前記バインダー成分が、９０〜１００重量パーセントの少なくとも１つのヒドロキシ官能性ポリエーテルＡ）を含む上記１に記載のコーティング組成物。
4.  前記バインダー成分が、８０〜９９．５重量パーセントの少なくとも１つのヒドロキシ官能性ポリエーテルＡ）と、０．５〜２０重量パーセントの、前記ヒドロキシ官能性ポリエーテルＡ）とは異なる少なくとも１つの追加のヒドロキシ官能性バインダーとを含み、前記ヒドロキシ官能性ポリエーテルＡ）と前記追加のヒドロキシ官能性バインダーの前記重量パーセントを合計すると１００重量パーセントである上記１に記載のコーティング組成物。
5.  前記少なくとも１つの追加のヒドロキシ官能性バインダーが、ヒドロキシ官能性ポリエステルである上記４に記載のコーティング組成物。
6.  揮発性有機化合物の含量が１．１〜２．１ｌｂｓ／ｇａｌである上記１〜５のいずれか一項に記載のコーティング組成物。
7.  前記ポリエーテルＡ）が、２０〜６０重量パーセントの成分Ａａ）および４０〜８０重量パーセントの成分Ａｂ）から得られ、成分Ａａ）およびＡｂ）の前記重量パーセントを合計すると１００重量パーセントである上記１〜６のいずれか一項に記載のコーティング組成物。
8.  前記ヒドロキシ官能性ポリエーテルＡ）の数平均分子量Ｍｎが４００〜４，０００の範囲にあり、多分散性が＜１．５である上記１〜７のいずれか一項に記載のコーティング組成物。
9.  ポリオールＡａ）が、３〜８個のヒドロキシル基を有する上記１〜８のいずれか一項に記載のコーティング組成物。
10.  ポリオールＡａ）が、グリセリン、トリメチロールプロパントリメチロールエタン、ジ−トリメチロールプロパン、モノ−ペンタエリスリトール、ジ−ペンタエリスリトール、トリ−ペンタエリスリトール、ソルビトールおよびこれらの組み合わせからなる群から選択される化合物である上記９に記載のコーティング組成物。
11.  ポリオールＡａ）が、モノ−ペンタエリスリトール、ジ−ペンタエリスリトールおよびこれらの組み合わせからなる群から選択される上記１０に記載のコーティング組成物。
12.  上記１〜１１のいずれか一項に記載の溶剤系コーティング組成物を用いて、多層コーティングを基材に適用するステップと、前記コーティングを硬化するステップとを含む方法。
13.  １枚以上のコーティング層でプレコートされた基材にトップコート層を適用することによる基材の多層コーティングのための方法であり、前記トップコート層が、色および／または特殊効果付与ベースコートコーティング化合物で構成され、クリアコートコーティング化合物が適用され、前記クリアコーティング層が、上記１〜１１のいずれか一項に記載の溶剤系コーティング組成物で構成されている上記１２に記載の方法。
14.  １枚以上のコーティング層でプレコートされた基材にトップコート層を適用することによる基材の多層コーティングのための方法であり、着色された単一層のトップコートコーティング化合物で構成された前記トップコート層が適用され、前記着色された１層のトップコートコーティング層が、上記１〜１１のいずれか一項に記載の溶剤系コーティング組成物で構成されている上記１２に記載の方法。
15.  前記基材が、自動車の車体および自動車の車体部品からなる群から選択される上記１２〜１４のいずれか一項に記載の方法。
【手続補正書】
【提出日】平成21年10月5日(2009.10.5)
【手続補正１】
【補正対象書類名】特許請求の範囲
【補正対象項目名】請求項５
【補正方法】変更
【補正の内容】
【請求項５】
前記架橋度は、本質的に環状物が、環式基中の１２個以下の原子を有する架橋によって形成されない程十分低い、請求項１に記載の組成物。
【手続補正２】
【補正対象書類名】特許請求の範囲
【補正対象項目名】請求項９
【補正方法】変更
【補正の内容】
【請求項９】
前記照射は、アモルファス材料を実質的に多結晶性の材料へと転換するために結晶化を実行するために、レーザーを用いて実行される、請求項８に記載の方法。
【手続補正３】
【補正対象書類名】特許請求の範囲
【補正対象項目名】請求項１１
【補正方法】変更
【補正の内容】
【請求項１１】
前記液体材料を前記基板に適用するのと同時にまたはその後に、紫外線照射を用いて前記液体材料を照射することをさらに含む、請求項６に記載の方法。
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
エラストマーと接触する基材の接触変色を阻止し、且つ、酸化、熱、動的、光により誘発される及び／又はオゾンにより誘発される分解を阻止するために該エラストマーを安定化する方法であって、
少なくとも１種の次式Ｉ：
【化１】
2009511532.tif 000001
［式中、
Ｒ1 は炭素原子数１ないし１２のアルキル基を表わし、
Ｒ2 は炭素原子数１ないし１２のアルキル基を表わすか、又は、Ｒ1 及びＲ2 は、それらが結合する炭素原子と一緒になって、非置換の又は、炭素原子数１ないし４のアルキル基により置換された炭素原子数５ないし１２のシクロアルキル環を形成し、
Ｒ3 は水素原子又は−ＣＨ2 −Ｓ（Ｏ）m −Ｒ5 基を表わし、
Ｒ4 及びＲ5 は互いに独立して、非置換の又は、シアノ置換された炭素原子数５ないし１８のアルキル基；炭素原子数７ないし９のフェニルアルキル基、非置換の又は、ハロゲン原子、ヒドロキシ、シアノ又は炭素原子数１ないし４のアルキル置換されたフェニル基又はナフチル基；ベンゾチアゾリル基又は−Ｒ6 −ＣＯ2 −Ｒ7 基を表わし、
Ｒ6 は炭素原子数１ないし１８のアルキレン基を表わし、
Ｒ7 は炭素原子数１ないし１８のアルキル基を表わし、そして
ｍは０、１又は２である。］で表わされる化合物を前記エラストマーに配合するか、又は前記エラストマーに塗布することからなる方法。
【請求項２】
別の添加剤として、顔料、染料、充填材、均展助剤、分散剤、可塑剤、加硫活性化剤、加硫促進剤、加硫剤、電荷調整剤、接着促進剤、酸化防止剤及び光安定剤からなる群から選択された１種以上の成分を含む、請求項１記載の方法。
【請求項３】
ａ）少なくとも１種の次式Ｉ：
【化２】
2009511532.tif 000002
［式中、
Ｒ1 は炭素原子数１ないし１２のアルキル基を表わし、
Ｒ2 は炭素原子数１ないし１２のアルキル基を表わすか、又は、Ｒ1 及びＲ2 は、それらが結合する炭素原子と一緒になって、非置換の又は、炭素原子数１ないし４のアルキル基により置換された炭素原子数５ないし１２のシクロアルキル環を形成し、
Ｒ3 は水素原子を表わし、
Ｒ4 は、非置換の又は、シアノ置換された炭素原子数５ないし１８のアルキル基；炭素原子数７ないし９のフェニルアルキル基、非置換の又は、ハロゲン原子、ヒドロキシ、シアノ又は炭素原子数１ないし４のアルキル置換されたフェニル基又はナフチル基；ベンゾチアゾリル基又は−Ｒ6 −ＣＯ2 −Ｒ7 基を表わし、
Ｒ6 は炭素原子数１ないし１８のアルキレン基を表わし、
Ｒ7 は炭素原子数１ないし１８のアルキル基を表わし、そして
ｍは０、１又は２である。］で表わされる化合物、並びに
ｂ）少なくとも１種の次式Ｉ：
【化３】
2009511532.tif 000003
［式中、
Ｒ1 は炭素原子数１ないし１２のアルキル基を表わし、
Ｒ2 は炭素原子数１ないし１２のアルキル基を表わすか、又は、Ｒ1 及びＲ2 は、それらが結合する炭素原子と一緒になって、非置換の又は、炭素原子数１ないし４のアルキル基により置換された炭素原子数５ないし１２のシクロアルキル環を形成し、
Ｒ3 は−ＣＨ2 −Ｓ（Ｏ）m −Ｒ5 基を表わし、
Ｒ4 及びＲ5 は互いに独立して、非置換の又は、シアノ置換された炭素原子数５ないし１８のアルキル基；炭素原子数７ないし９のフェニルアルキル基、非置換の又は、ハロゲン原子、ヒドロキシ、シアノ又は炭素原子数１ないし４のアルキル置換されたフェニル基又はナフチル基；ベンゾチアゾリル基又は−Ｒ6 −ＣＯ2 −Ｒ7 基を表わし、
Ｒ6 は炭素原子数１ないし１８のアルキレン基を表わし、
Ｒ7 は炭素原子数１ないし１８のアルキル基を表わし、そして
ｍは０、１又は２である。］で表わされる化合物
を含む混合物。
【請求項４】
ａ）酸化、熱、動的、光により誘発される及び／又はオゾンにより誘発される分解を受け易いエラストマー、並びに
ｂ）安定剤としての、少なくとも１種の請求項３記載の混合物
を含む組成物。
【請求項５】
次式Ｉ：
【化４】
2009511532.tif 000004
［式中、
Ｒ1 は炭素原子数１ないし１２のアルキル基を表わし、
Ｒ2 は炭素原子数１ないし１２のアルキル基を表わすか、又は、Ｒ1 及びＲ2 は、それらが結合する炭素原子と一緒になって、非置換の又は、炭素原子数１ないし４のアルキル基により置換された炭素原子数５ないし１２のシクロアルキル環を形成し、
Ｒ3 は水素原子又は−ＣＨ2 −Ｓ（Ｏ）m −Ｒ5 基を表わし、
Ｒ4 及びＲ5 は互いに独立して、非置換の又は、シアノ置換された炭素原子数５ないし１８のアルキル基；炭素原子数７ないし９のフェニルアルキル基、非置換の又は、ハロゲン原子、ヒドロキシ、シアノ又は炭素原子数１ないし４のアルキル置換されたフェニル基又はナフチル基；ベンゾチアゾリル基又は−Ｒ6 −ＣＯ2 −Ｒ7 基を表わし、
Ｒ6 は炭素原子数１ないし１８のアルキレン基を表わし、
Ｒ7 は炭素原子数１ないし１８のアルキル基を表わし、そして
ｍは０、１又は２である。］で表わされる化合物であるが、但し、次式Ｉａ：
【化５】
2009511532.tif 000005
［式中、Ｒ4 は炭素原子数８のアルキル基、炭素原子数１２のアルキル基又はフェニル基を表わす。］で表わされる化合物を除く化合物。
【請求項６】
ａ）酸化、熱、動的、光により誘発される及び／又はオゾンにより誘発される分解を受け易いエラストマー、並びに
ｂ）安定剤としての、少なくとも１種の請求項５記載の式Ｉで表わされる化合物
を含む組成物。
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
式１の化合物：
【化１】
2009511525.tif 000001
［式中、Ｒは、Ｃ１〜Ｃ３アルキル、及びアリルからなる群から選択される］、及びその薬剤として許容できる塩。
【請求項２】
Ｒがｎ−プロピル及びエチルからなる群から選択される、請求項１に記載の化合物。
【請求項３】
１−エチル−４−［３−フルオロ−５−（メチルスルホニル）フェニル］ピペリジン
４−［３−フルオロ−５−（メチルスルホニル）フェニル］−１−プロピルピペリジン
１−アリル−４−［３−フルオロ−５−（メチルスルホニル）フェニル］ピペリジン
を含む群から選択される、請求項１から２までのいずれか一項に記載の化合物。
【請求項４】
中枢神経系障害の治療のための、請求項１から３までのいずれか一項に記載の化合物。
【請求項５】
中枢神経系障害の治療用の、薬剤として有効な製剤の製造における、式１による化合物：
【化２】
2009511525.tif 000002
［式中、Ｒは、Ｃ１〜Ｃ３アルキル、及びアリルからなる群から選択される］、又はその薬剤として許容できる塩の使用。
【請求項６】
Ｒがｎ−プロピル及びエチルからなる群から選択される、請求項５に記載の使用。
【請求項７】
請求項１から３までのいずれか一項に記載の化合物、及び１つ又は複数の薬剤として許容できる担体又は希釈剤を含む薬剤組成物。
【請求項８】
中枢神経系障害の治療用の請求項７に記載の薬剤組成物。
【請求項９】
パーキンソン病、パーキンソニズム、（Ｌ−ＤＯＰＡ誘発性ジスキネジアを含む）ジスキネジア、ジストニア、チック、振戦、及びハンチントン病からなる群から選択された運動障害の治療用の請求項７に記載の薬剤組成物。
【請求項１０】
医原性及び非医原性の精神病及び幻覚症からなる群から選択された状態の治療用の請求項７に記載の薬剤組成物。
【請求項１１】
統合失調症及び統合失調症様障害、並びに双極性障害からなる群から選択された疾患の治療用の請求項７に記載の薬剤組成物。
【請求項１２】
気分障害及び不安障害、うつ病、及び強迫性疾患からなる群から選択された疾患の治療用の請求項７に記載の薬剤組成物。
【請求項１３】
自閉症スペクトラム障害、ＡＤＨＤ、脳性麻痺、ジルドラトゥーレット症候群からなる群から選択された神経発達障害、並びに認知症、及び加齢性認知障害からなる群から選択された神経変性疾患の治療用の請求項７に記載の薬剤組成物。
【請求項１４】
睡眠障害、性的障害、摂食障害、肥満症、及び頭痛、並びに筋緊張亢進を特徴とする疾患における他の疼痛からなる群から選択された疾患の治療用の請求項７に記載の薬剤組成物。
【請求項１５】
運動機能、認知機能、及び関連情緒障害の改善、並びに外傷性、炎症性、感染性、腫瘍性、血管性、低酸素性、又は代謝性の原因によって誘発された脳傷害後、或いは乱用物質、薬剤化合物、環境毒素からなる群から選択される外因性化学物質に対する毒性反応によって誘発された脳傷害後の改善のための請求項７に記載の薬剤組成物。
【請求項１６】
乱用物質に関連する障害の治療用の請求項７に記載の薬剤組成物。
【請求項１７】
アルツハイマー病又は関連認知症障害の治療用の請求項７に記載の薬剤組成物。
【手続補正書】
【提出日】平成21年10月5日(2009.10.5)
【手続補正１】
【補正対象書類名】特許請求の範囲
【補正対象項目名】請求項３１
【補正方法】変更
【補正の内容】
【請求項３１】
請求項１〜２４または２６のいずれかの薬学的組成物、あるいは請求項２５の方法にしたがって産生されるような薬学的組成物を含む、疾患の予防、治療または改善のための医薬。
【手続補正２】
【補正対象書類名】特許請求の範囲
【補正対象項目名】請求項３２
【補正方法】変更
【補正の内容】
【請求項３２】
前記疾患が、増殖性疾患、腫瘍性疾患、または免疫学的障害である、請求項３１の医薬。
【手続補正３】
【補正対象書類名】特許請求の範囲
【補正対象項目名】請求項３３
【補正方法】変更
【補正の内容】
【請求項３３】
前記腫瘍性疾患が、悪性疾患、好ましくは癌である、請求項３２の医薬。
【手続補正４】
【補正対象書類名】特許請求の範囲
【補正対象項目名】請求項３４
【補正方法】変更
【補正の内容】
【請求項３４】
前記二重特異性一本鎖抗体を、さらなる薬剤と組み合わせて含む、請求項３１〜３３のいずれかの医薬。
【手続補正５】
【補正対象書類名】特許請求の範囲
【補正対象項目名】請求項３５
【補正方法】変更
【補正の内容】
【請求項３５】
前記薬剤が、非タンパク質性化合物またはタンパク質性化合物である、請求項３４の医薬。
【手続補正６】
【補正対象書類名】特許請求の範囲
【補正対象項目名】請求項３６
【補正方法】変更
【補正の内容】
【請求項３６】
前記薬剤が、免疫エフェクター細胞のための活性化シグナルを提供可能なタンパク質性化合物である、請求項３５の医薬。
【手続補正７】
【補正対象書類名】特許請求の範囲
【補正対象項目名】請求項３７
【補正方法】変更
【補正の内容】
【請求項３７】
前記タンパク質性化合物または非タンパク質性化合物が、請求項１〜１８のいずれかに定義するような二重特異性一本鎖抗体、請求項１９に定義するような核酸分子、請求項２０〜２２のいずれかに定義するようなベクター、または請求項２３に定義するような宿主と同じ薬学的組成物中または別個の薬学的組成物中に含まれる、請求項３５または３６の医薬。
【手続補正８】
【補正対象書類名】特許請求の範囲
【補正対象項目名】請求項３８
【補正方法】変更
【補正の内容】
【請求項３８】
疾患の予防、治療または改善が必要なヒトにおける、疾患の予防、治療または改善のために使用される、請求項３１〜３７のいずれか１項の医薬。
【手続補正９】
【補正対象書類名】特許請求の範囲
【補正対象項目名】請求項４０
【補正方法】変更
【補正の内容】
【請求項４０】
請求項１〜１８のいずれかに定義するような二重特異性一本鎖抗体の生物学的活性および／または有効性を決定する方法であって、前記二重特異性一本鎖抗体を、ヒト以外の非チンパンジー霊長類に投与し、そしてｉｎ  ｖｉｖｏ活性を測定する、前記方法。
【手続補正１０】
【補正対象書類名】特許請求の範囲
【補正対象項目名】請求項４１
【補正方法】変更
【補正の内容】
【請求項４１】
前臨床試験における、請求項１〜１８のいずれかに定義するような二重特異性一本鎖抗体のｉｎ  ｖｉｖｏ安全性および／または活性および／または薬物動態学的プロフィールを評価するための前記二重特異性一本鎖抗体の使用であって、
（ｉ）ヒト以外の非チンパンジー霊長類に前記二重特異性一本鎖抗体を投与し、そして
（ｉｉ）前記非ヒト霊長類において、前記二重特異性一本鎖抗体の前記ｉｎ  ｖｉｖｏ安全性および／または活性および／または薬物動態学的プロフィールを測定する工程を含む、前記使用。
【手続補正１１】
【補正対象書類名】特許請求の範囲
【補正対象項目名】請求項４２
【補正方法】変更
【補正の内容】
【請求項４２】
請求項１〜１８のいずれかに定義するような二重特異性一本鎖抗体の生物学的活性／安全性／毒性を評価するための方法であって、
（ｉ）ヒト以外の非チンパンジー霊長類に前記二重特異性一本鎖抗体を投与し、
（ｉｉ）前記非ヒト霊長類における、前記二重特異性一本鎖抗体のｉｎ  ｖｉｖｏ安全性および／または活性および／または薬物動態学的プロフィールを測定し、
（ｉｉｉ）該非ヒト霊長類における、前記二重特異性一本鎖抗体のｉｎ  ｖｉｖｏ安全性および／または活性および／または薬物動態学的プロフィールを評価し、そして
（ｉｖ）前記二重特異性一本鎖抗体の有効でそして非毒性である用量を決定する
工程を含む、前記方法。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
ヒトを含む哺乳動物において、心房細動の予防および／または治療用のアデノシンＡ２Ａレセプターアンタゴニストを含んでなる、医薬組成物。
【請求項２】
前記Ａ２Ａアンタゴニストが、キサンチン誘導体またはその薬学上許容される塩である、請求項１に記載の医薬組成物。
【請求項３】
前記Ａ２Ａアンタゴニストが、下記式からなる群から選択される化合物である、請求項２に記載の医薬組成物：
【化１】
2009511551.tif 000001
【請求項４】
前記Ａ２Ａアンタゴニストが、ＫＷ６００２としても知られる式（３）の化合物である、請求項３に記載の医薬組成物。
【請求項５】
前記Ａ２Ａアンタゴニストが、ＭＳＸ‐２としても知られる式（６）の化合物である、請求項３に記載の医薬組成物。
【請求項６】
前記Ａ２Ａアンタゴニストが請求項３に記載の式（６）の化合物のリン酸エステルである、請求項２に記載の医薬組成物。
【請求項７】
前記Ａ２Ａアンタゴニストがピラゾロピリミジン誘導体である、請求項１に記載の医薬組成物。
【請求項８】
前記Ａ２Ａアンタゴニストがトリアゾロキノキサリン誘導体である、請求項１に記載の医薬組成物。
【請求項９】
前記Ａ２Ａアンタゴニストがトリアゾロトリアジン誘導体である、請求項１に記載の医薬組成物。
【請求項１０】
前記Ａ２Ａアンタゴニストが下記式からなる群より選択される化合物である、請求項１に記載の医薬組成物：
【化２】
2009511551.tif 000002
2009511551.tif 000003
2009511551.tif 000004
【請求項１１】
前記Ａ２ＡアンタゴニストがＶＥＲ‐６６２３としても知られる式（１５）の化合物である、請求項１０に記載の医薬組成物。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
異常なタンパク質の折りたたみ又は凝集、或いはアミロイドの形成、沈着、蓄積又は残存を特徴とする疾患の処置または予防において使用するための薬学的組成物であって、治療有効量の以下の化学式ＩＩの化合物であって：
【化１】
2009511568.tif 000001
式中、
Ｒ１、Ｒ２、Ｒ３、Ｒ４、Ｒ５及びＲ６の５つがヒドロキシルであり；並びに
Ｒ１、Ｒ２、Ｒ３、Ｒ４、Ｒ５及びＲ６の１つがフルオロ、クロロ、ブロモ又はＣ１−Ｃ６アルコキシである、
化合物を含む、薬学的組成物。
【請求項２】
式中、Ｒ１、Ｒ２、Ｒ３、Ｒ４、Ｒ５及びＲ６の少なくとも１つがクロロである、請求項１に記載の薬学的組成物。
【請求項３】
前記化学式ＩＩの化合物が１−クロロ−１−デオキシ−ｓｃｙｌｌｏ−イノシトール：
【化４】
2009511568.tif 000002
である、請求項２に記載の薬学的組成物。
【請求項４】
式中、Ｒ１、Ｒ２、Ｒ３、Ｒ４、Ｒ５及びＲ６の少なくとも１つがメトキシである、請求項１に記載の薬学的組成物。
【請求項５】
前記化学式ＩＩの化合物がメチル−ｓｃｙｌｌｏ−イノシトール：
【化３】
2009511568.tif 000003
である、請求項４に記載の薬学的組成物。
【請求項６】
前記疾患がアルツハイマー病である、請求項１〜５のいずれか一項に記載の薬学的組成物。
【請求項７】
前記疾患が軽度認識障害である、請求項１〜５のいずれか一項に記載の薬学的組成物。
【請求項８】
被験体においてアルツハイマー病を処置または予防するための、請求項１〜５のいずれか一項に定義される、治療有効量の化学式ＩＩの化合物を含む薬学的組成物。
【請求項９】
前記組成物が、毎日の投与のための単位投与量である、請求項１〜８のいずれか一項に記載の薬学的組成物。
【請求項１０】
単位投与量が、５〜３０ミリグラムの式ＩＩの化合物を含む、請求項９に記載の薬学的組成物。
【請求項１１】
異常なタンパク質の折りたたみ又は凝集、或いはアミロイドの形成、沈着、蓄積又は残存を特徴とする疾患を予防及び／又は処置するための化学式ＩＩの少なくとも１種の化合物を含む、請求項８、９、または１０に記載の組成物、並びに容器及び取扱説明書を含む、キット。
【請求項１２】
前記説明書がアルツハイマー病を処置するための情報を提供する、請求項１１に記載のキット。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
二本鎖ＲＮＡ（ｄｓＲＮＡ）と第１のペプチドと第２のペプチドとを含む化合物であって、前記化合物の前記第１のペプチドの濃度が約０．２乃至約１の前記第１のペプチドと前記ｄｓＲＮＡとのＮ／Ｐ比を提供し、前記化合物の前記第２のペプチドの濃度が約０．５乃至約２０の前記化合物のＮ／Ｐ比を提供し、前記ｄｓＲＮＡ、前記第１のペプチド、及び前記第２のペプチドが約０．５ｎｍ乃至約１０００ｎｍの直径を有する粒子を形成することを特徴とする化合物。
【請求項２】
請求項１に記載の化合物において、前記第１のペプチドが前記粒子の質量の５％乃至９９％であることを特徴とする化合物。
【請求項３】
請求項１に記載の化合物において、前記第１のペプチドが前記粒子の質量の５％乃至５０％であることを特徴とする化合物。
【請求項４】
請求項１に記載の化合物において、前記第１のペプチド及び前記第２のペプチドが前記粒子の質量の５０％乃至９９％であることを特徴とする化合物。
【請求項５】
請求項１に記載の化合物において、前記第１のペプチド及び前記第２のペプチドのアミノ酸配列が独立して、配列番号２８乃至３７、４３、６７乃至７１、及び８７乃至９５からなる群から選択されるアミノ酸配列を含むことを特徴とする化合物。
【請求項６】
請求項１に記載の化合物において、前記第１のペプチド及び前記第２のペプチドのアミノ酸配列が独立して、配列番号２８、３４、３７、３８、及び３９からなる群から選択されるアミノ酸配列を含むことを特徴とする化合物。
【請求項７】
請求項１に記載の化合物において、前記第１のペプチドのアミノ酸が配列番号２８のアミノ酸配列を含むことを特徴とする化合物。
【請求項８】
請求項１に記載の化合物において、前記第１のペプチド及び／又は前記第２のペプチドがＰＥＧ化されることを特徴とする化合物。
【請求項９】
請求項１に記載の化合物において、前記粒子が１０乃至３００ナノメートルの直径を有することを特徴とする化合物。
【請求項１０】
請求項１に記載の化合物において、前記粒子が４０乃至１００ナノメートルの直径を有することを特徴とする化合物。
【請求項１１】
請求項１に記載の化合物において、前記粒子が架橋されることを特徴とする化合物。
【請求項１２】
請求項１に記載の化合物において、前記粒子が少なくとも２０ｍＶの大きさのゼータ電位を有することを特徴とする化合物。
【請求項１３】
請求項１に記載の化合物において、前記粒子が少なくとも３０ｍＶの大きさのゼータ電位を有することを特徴とする化合物。
【請求項１４】
請求項１に記載の化合物において、前記ｄｓＲＮＡがｓｉＮＡであることを特徴とする化合物。
【請求項１５】
ａ）第１のペプチドと二本鎖ＲＮＡ（ｄｓＲＮＡ）とを結合するステップであって、前記第１のペプチド及び前記ｄｓＲＮＡが第１の粒子を形成し、約０．２乃至約１のＮ／Ｐ比を有するステップと、
ｂ）第２のペプチドを前記第１の粒子と結合するステップであって、前記第２のペプチドが前記Ｎ／Ｐ比を約０．５乃至約２０に調整するステップと、
を含み、前記第１のペプチド、前記第２のペプチド、及び前記ｄｓＲＮＡが１０００ｎｍ未満の直径を有する第２の粒子を形成することを特徴とする方法。
【請求項１６】
請求項１５に記載の方法において、前記第１のペプチドが前記第２の粒子の質量の５％乃至９９％であることを特徴とする方法。
【請求項１７】
請求項１５に記載の方法において、前記第１のペプチドが前記第２の粒子の質量の５％乃至５０％であることを特徴とする方法。
【請求項１８】
請求項１５に記載の方法において、前記第１のペプチド及び前記第２のペプチドが前記第２の粒子の質量の５０％乃至９９％であることを特徴とする方法。
【請求項１９】
請求項１５に記載の方法において、前記第１のペプチド及び前記第２のペプチドのアミノ酸配列が独立して、配列番号２８乃至３７、４３、６７乃至７１、及び８７乃至９５からなる群から選択されるアミノ酸配列を含むことを特徴とする方法。
【請求項２０】
請求項１５に記載の方法において、前記第１のペプチド及び前記第２のペプチドのアミノ酸配列が独立して、配列番号２８、３４、３７、３８、及び３９からなる群から選択されるアミノ酸配列を含むことを特徴とする方法。
【請求項２１】
請求項１５に記載の方法において、前記第１のペプチドのアミノ酸が配列番号２８のアミノ酸配列を含むことを特徴とする方法。
【請求項２２】
請求項１５に記載の方法において、前記第１のペプチド及び／又は前記第２のペプチドがＰＥＧ化されることを特徴とする方法。
【請求項２３】
請求項１５に記載の方法において、前記第２の粒子が１０乃至３００ナノメートルの直径を有することを特徴とする方法。
【請求項２４】
請求項１５に記載の方法において、前記第２の粒子が４０乃至１００ナノメートルの直径を有することを特徴とする方法。
【請求項２５】
請求項１５に記載の方法において、前記第２の粒子が少なくとも２０ｍＶの大きさのゼータ電位を有することを特徴とする方法。
【請求項２６】
請求項１５に記載の方法において、前記第２の粒子が少なくとも３０ｍＶの大きさのゼータ電位を有することを特徴とする方法。
【請求項２７】
請求項１５に記載の方法において、前記第２の粒子が架橋されることを特徴とする方法。
【請求項２８】
請求項１５に記載の方法において、前記第１のペプチドが前記ｄｓＲＮＡと混合又は混和されることを特徴とする方法。
【請求項２９】
請求項１５に記載の方法において、前記第２のペプチドが前記第１のペプチド及び前記ｄｓＲＮＡと混合又は混和されることを特徴とする方法。
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
複数のT細胞又はナチュラルキラー（NK）細胞を、1×106〜1×1010個の胎盤幹細胞と、前記胎盤幹細胞が免疫応答を検出可能に抑制するのに十分な時間接触させることを含む、インビトロにおける免疫応答抑制方法であって、前記胎盤幹細胞は、エプスタインバーウイルス抗原提示B細胞によって促進されるT細胞増殖を検出可能に抑制し、かつ、前記1×106〜1×1010個の胎盤幹細胞の少なくとも80％がCD200を発現する、前記方法。
【請求項２】
前記T細胞がCD4+T細胞である、請求項1記載の方法。
【請求項３】
前記T細胞がCD8+T細胞である、請求項1記載の方法。
【請求項４】
前記接触がインビトロで行われる、請求項1記載の方法。
【請求項５】
前記複数の胎盤幹細胞が1×106個の胎盤幹細胞を含む、請求項1記載の方法。
【請求項６】
前記複数の胎盤幹細胞が1×107個の胎盤幹細胞を含む、請求項1記載の方法。
【請求項７】
前記複数の胎盤幹細胞が1×108個の胎盤幹細胞を含む、請求項1記載の方法。
【請求項８】
前記1×106〜1×1010個の胎盤幹細胞の少なくとも80％がOCT-4+である、請求項1記載の方法。
【請求項９】
前記1×106〜1×1010個の胎盤幹細胞の少なくとも80％が、CD34-、CD38-又はCD45-の1つ又は複数である、請求項1記載の方法。
【請求項１０】
前記1×106〜1×1010個の胎盤幹細胞の少なくとも80％が、CD10+又はCD105+である、請求項1記載の方法。
【請求項１１】
前記1×106〜1×1010個の胎盤幹細胞の少なくとも80％が、CD10+、CD34-、CD105+及びCD200+である、請求項1記載の方法。
【請求項１２】
1×106〜1×1010個の胎盤幹細胞を含む、免疫応答を抑制するための医薬組成物であって、前記1×106〜1×1010個の胎盤幹細胞の少なくとも80％がCD200を発現し、かつ、前記胎盤幹細胞が、混合リンパ球反応（MLR）アッセイ法におけるT細胞増殖を検出可能に抑制する、前記医薬組成物。
【請求項１３】
前記1×106〜1×1010個の胎盤幹細胞の少なくとも80％が、CD10+又はCD105+である、請求項12記載の医薬組成物。
【請求項１４】
前記1×106〜1×1010個の胎盤幹細胞の少なくとも80％が、CD10+、CD34-、CD105+及びCD200+である、請求項12記載の医薬組成物。
【請求項１５】
前記医薬組成物の服用者の血液中のMIP-1α又はMIP-1βの量の検出可能な減少をもたらすのに十分な量の、マクロファージ炎症性タンパク質（MIP）-1α又はMIP-1βに対する抗体をさらに含む、請求項12記載の医薬組成物。
【請求項１６】
前記T細胞がCD4+T細胞又はCD8+T細胞である、請求項12記載の医薬組成物。
【請求項１７】
静脈内投与用に製剤されている、請求項12記載の医薬組成物。
【請求項１８】
筋肉内投与用に製剤されている、請求項12記載の医薬組成物。
【請求項１９】
対象の器官への投与用に製剤されている、請求項12記載の医薬組成物。
【請求項２０】
前記器官が膵臓である、請求項19記載の医薬組成物。
【請求項２１】
前記免疫応答が自己免疫疾患である、請求項12記載の医薬組成物。
【請求項２２】
前記自己免疫疾患が移植片対宿主病である、請求項12記載の医薬組成物。
【請求項２３】
前記自己免疫疾患が糖尿病、エリテマトーデス、リウマチ様関節炎又は多発性硬化症である、請求項12記載の医薬組成物。
【請求項２４】
末梢血造血前駆細胞、臍帯血造血前駆細胞、胎盤血造血前駆細胞、又は骨髄由来間充織幹細胞をさらに含む、請求項12記載の医薬組成物。
【請求項２５】
1×107個の胎盤幹細胞を含む、請求項12記載の医薬組成物。
【請求項２６】
1×108個の胎盤幹細胞を含む、請求項12記載の医薬組成物。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
薬剤の製造における可溶性トロンボモジュリンの使用。
【請求項２】
急性腎不全に罹患するヒト対象の治療用薬剤の製造における可溶性トロンボモジュリンの使用。
【請求項３】
急性腎不全が炎症性又は虚血性の損傷から生じる、請求項２記載の使用。
【請求項４】
急性腎不全が腎臓虚血による急性尿細管壊死に起因する、請求項２記載の使用。
【請求項５】
急性腎不全が急性間質性腎炎に起因する、請求項２記載の使用。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
以下の式Ｉの化合物：
【化１】
2009511593.tif 000001
または、その薬学的に受容可能な塩であって、ここで：
Ｒは、水素または低級アルキルであり；
Ｒ１は、必要に応じて置換されたアルキル、必要に応じて置換されたシクロアルキル、必要に応じて置換されたアリール、必要に応じて置換されたヘテロシクリル、または必要に応じて置換されたヘテロアリールであり；
Ｒ２は、必要に応じて置換されたアルキル、必要に応じて置換されたシクロアルキル、必要に応じて置換されたアリール、必要に応じて置換されたヘテロアリール、または必要に応じて置換されたヘテロシクリルであり；
Ｒ３は、−ＣＨ２ＯＲ６または−Ｃ（Ｏ）ＮＲ７Ｒ８であり；ここでＲ６は、水素またはアシル、そしてＲ７およびＲ８は、独立して水素または低級アルキルであり；
Ｒ４およびＲ５は、独立して水素または低級アルキルであり；そして
Ｙは、共有結合または必要に応じて置換されたアルキレンである、化合物。
【請求項２】
請求項１に記載の化合物であって、ここで：
Ｒは、水素であり；
Ｒ１は、３〜６の炭素原子のシクロアルキルであり；
Ｒ２は、−ＳＯ３Ｈによって置換されたアルキル、−ＳＯ３Ｈによって置換されたシクロアルキル、−ＳＯ３Ｈによって置換されたアリール、−ＳＯ３Ｈによって置換されたヘテロアリール、または−ＳＯ３Ｈによって置換されたヘテロシクリルであり；そして
Ｒ３は、−ＣＨ２ＯＨである、化合物。
【請求項３】
請求項２に記載の化合物であって、ここで、Ｒ４およびＲ５は、水素であり；そしてＹは、共有結合である、化合物。
【請求項４】
請求項３に記載の化合物であって、ここで、Ｒ２は、−ＳＯ３Ｈによって置換されたアルキル、または−ＳＯ３Ｈによって置換されたアリールである、化合物。
【請求項５】
請求項４に記載の化合物であって、ここで、Ｒ２は、−ＳＯ３Ｈによって置換された１〜４の炭素原子のアルキルである、化合物。
【請求項６】
請求項５に記載の化合物であって、ここで、Ｒ１は、シクロペンチルである、化合物。
【請求項７】
請求項６に記載の化合物であって、ここで、Ｒ２は、−ＣＨ２ＳＯ３Ｈ、すなわち、Ｎ−（｛９−［（４Ｓ，２Ｒ，３Ｒ，５Ｒ）−３，４−ジヒドロキシ−５−（ヒドロキシメチル）オキソラン−２−イル］−６−（シクロペンチルアミノ）プリン−２−イル｝メチル）カルバモイルメチルスルホン酸である、化合物。
【請求項８】
請求項４に記載の化合物であって、ここで、Ｒ２は、−ＳＯ３Ｈによって置換されたフェニルである、化合物。
【請求項９】
請求項８に記載の化合物であって、Ｒ１がシクロペンチルである、化合物。
【請求項１０】
請求項９に記載の化合物であって、ここで、Ｒ２は、４−ベンゼンスルホン酸、すなわち、４−［Ｎ−（｛９−［（４Ｓ，２Ｒ，３Ｒ，５Ｒ）−３，４−ジヒドロキシ−５−（ヒドロキシメチル）オキソラン−２−イル］−６−（シクロペンチルアミノ）プリン−２−イル｝メチル）カルバモイル］ベンゼンスルホン酸である、化合物。
【請求項１１】
Ａ１アデノシンレセプターアゴニストを用いる処置により緩和することができる哺乳動物において疾患状態を処置するための組成物であって、治療的有効量の式Ｉの化合物を含む、組成物。
【請求項１２】
請求項１１に記載の組成物であって、前記疾患状態が、心房細動、上室性頻拍および心房粗動、うっ血性心不全、てんかん、脳卒中、糖尿病、肥満、虚血、安定狭心症、不安定狭心症、心臓移植、および心筋梗塞から選択される、組成物。
【請求項１３】
少なくとも１つの薬学的に受容可能な賦形剤、および治療的有効量の式Ｉの化合物を含む、薬学的組成物。
【手続補正２】
【補正対象書類名】明細書
【補正対象項目名】００１０
【補正方法】変更
【補正の内容】
【００１０】
【化２】
2009511593.tif 000002
または、その薬学的に受容可能な塩であって、ここで：
Ｒは、水素または低級アルキルであり；
Ｒ１は、必要に応じて置換されたアルキル、必要に応じて置換されたシクロアルキル、必要に応じて置換されたアリール、必要に応じて置換されたヘテロシクリル、または必要に応じて置換されたヘテロアリールであり；
Ｒ２は、必要に応じて置換されたアルキル、必要に応じて置換されたシクロアルキル、必要に応じて置換されたアリール、必要に応じて置換されたヘテロアリール、または必要に応じて置換されたヘテロシクリルであり；
Ｒ３は、−ＣＨ２ＯＲ６または−Ｃ（Ｏ）ＮＲ７Ｒ８であり；ここでＲ６は、水素またはアシル、そしてＲ７およびＲ８は、独立して水素または低級アルキルであり；
Ｒ４およびＲ５は、独立して水素またはアシルであり；そして
Ｙは、共有結合または必要に応じて置換されたアルキレンである化合物に関する。
【手続補正３】
【補正対象書類名】明細書
【補正対象項目名】００１３
【補正方法】変更
【補正の内容】
【００１３】
本発明の第４の局面は、血液−脳関門を透過せず、そして結果としてＣＮＳに影響を有さない式Ｉの好ましい化合物に関する。このような好ましい化合物は、式Ｉの化合物であって、ここで、Ｒは、水素であり、Ｒ１は、３〜６炭素原子のシクロアルキルであり、Ｒ２は、−ＳＯ３Ｈによって置換されたアルキル、または−ＳＯ３Ｈによって置換されたシクロアルキル、または−ＳＯ３Ｈによって置換されたアリール、または−ＳＯ３Ｈによって置換されたヘテロアリール、または−ＳＯ３Ｈによって置換されたヘテロシクリルであり、そしてＲ３は、−ＣＨ２ＯＨであり、特にここで、Ｒ４およびＲ５は、水素であり、そしてＹは、共有結合である。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
【化１】
2009511595.tif 000001
からなる群から選択される化合物。
【請求項２】
C型肝炎ウイルスの活性を調節するための請求項１記載の化合物、又は、
製薬上許容される賦形剤；および
製薬上有効な量の請求項１に記載の化合物
を含む、C型肝炎ウイルスの活性を調節するための薬剤組成物。
【請求項３】
前記化合物又は薬剤組成物がNS3プロテアーゼを調節する、請求項２に記載の化合物又は薬剤組成物。
【請求項４】
前記化合物又は薬剤組成物がNS3プロテアーゼを阻害する、請求項３に記載の化合物又は薬剤組成物。
【請求項５】
前記化合物又は薬剤組成物がNS3ヘリカーゼを調節する、請求項２に記載の化合物又は薬剤組成物。
【請求項６】
前記化合物又は薬剤組成物がNS3ヘリカーゼを阻害する、請求項５に記載の化合物又は薬剤組成物。
【請求項７】
前記化合物又は薬剤組成物がNS3プロテアーゼおよびNS3ヘリカーゼの両方を調節する、請求項２に記載の化合物又は薬剤組成物。
【請求項８】
前記化合物又は薬剤組成物がNS3プロテアーゼおよびNS3ヘリカーゼの両方を阻害する、請求項７に記載の化合物又は薬剤組成物。
【請求項９】
C型肝炎ウイルス感染を治療するための請求項１に記載の化合物、又は、
製薬上許容される賦形剤；および
製薬上有効な量の請求項１に記載の化合物
を含む、C型肝炎ウイルス感染を治療するための薬剤組成物。
【請求項１０】
前記化合物又は医薬組成物が、NS3プロテアーゼおよびNS3ヘリカーゼの両方を阻害する、請求項９に記載の化合物又は薬剤組成物。
【請求項１１】
C型肝炎ウイルス感染の活性を調節するための化合物であって、NS3プロテアーゼおよびNS3ヘリカーゼ活性の両方を有し、且つ以下の：
【化２】
2009511595.tif 000002
からなる群から選択される化合物。
【請求項１２】
C型肝炎ウイルス感染を治療するための化合物であって、NS3プロテアーゼおよびNS3ヘリカーゼ活性の両方を有し、且つ以下の：
【化３】
2009511595.tif 000003
からなる群から選択される化合物。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
式(III)：
【化１】
2009511591.tif 000001
の化合物。
【請求項２】
結晶形である、請求項１記載の化合物。
【請求項３】
請求項１記載の化合物の薬学的有効量を、薬学的に許容される担体と混合して含む、薬学的組成物。
【請求項４】
請求項１又は２記載の化合物を含む、アレルギー疾患、全身性肥満細胞症、全身性肥満細胞活性化に伴う障害、過敏症ショック、気管支収縮、気管支炎、じんましん、湿疹、かゆみを伴う疾患、かゆみに伴う行動の結果二次的に発生する疾患、炎症、慢性閉塞性肺疾患、虚血性再潅流傷害、脳血管障害、慢性関節リウマチ、肋膜炎、又は潰瘍性大腸炎の治療のための医薬。
【請求項５】
請求項１記載の化合物の薬学的有効量、並びに抗ヒスタミン剤、ロイコトリエン拮抗剤
、ベータ作用薬、PDE4阻害剤、TP拮抗剤及びCrTh2拮抗剤から成る群から選ばれる化合物を、薬学的に許容される担体と混合して含む、薬学的組成物。
【請求項６】
抗ヒスタミン剤がフェキソフェナジン、デスロラタジン、ロラタジン又はシチリジンであり、ロイコトリエン拮抗剤がモンテルカスト又はザフィルラストであり、ベータ作用薬がアルブテロール、サルブテロール又はテルブタリンであり、PDE4阻害剤がロフルミラスト又はシロミラストであり、TP拮抗薬がラマトロブランであり、そしてCrTh2拮抗剤がラ
マトロブランである、請求項５記載の薬学的組成物。
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
競合ＥＬＩＳＡアッセイにおいて、配列番号９８及び配列番号１３８に示される配列を有する２つのポリペプチドを含んでなる抗体との間でミオスタチンとの結合が競合する抗ミオスタチンモノクローナル抗体であって、５×１０−１２Ｍ以下の親和性でミオスタチンと結合する抗ミオスタチンモノクローナル抗体。
【請求項２】
前記抗体が１．４×１０−１２Ｍ以下の親和性でミオスタチンと結合する、請求項１記載の抗ミオスタチンモノクローナル抗体。
【請求項３】
前記抗体が、実施例５に示すｉｎ  ｖｉｔｒｏミオスタチン／ＳＢＥ分析において１ｎＭ以下のＩＣ５０値を示す、請求項１又は２に記載の抗ミオスタチンモノクローナル抗体。
【請求項４】
ｉｎ  ｖｉｔｒｏミオスタチン／ＳＢＥリポーターアッセイで測定した場合の抗体のＩＣ５０値が、ｉｎ  ｖｉｔｒｏＧＤＦ−１１／ＳＢＥリポーターアッセイで測定した場合の抗体のＩＣ５０値より少なくとも２０％低い、請求項３記載のモノクローナル抗体。
【請求項５】
ＨＣＶＲ及びＬＣＶＲを有する抗ミオスタチンモノクローナル抗体であって、前記ＨＣＶＲがＣＤＲＨ１（配列番号４２）、ＣＤＲＨ２（配列番号７１）及びＣＤＲＨ３（配列番号７２）のアミノ酸配列を有し、前記ＬＣＶＲがＣＤＲＬ１（配列番号１２）ＣＤＲＬ２（配列番号１５４）及びＣＤＲＬ３（配列番号３７）のアミノ酸配列を有する抗体。
【請求項６】
配列番号９８及び配列番号１３８に示される配列を有する２つのポリペプチドを含んでなる抗ミオスタチンモノクローナル抗体。
【請求項７】
筋肉重量の増加又は骨密度の増加を必要とする患者に対して用いられる、請求項１から６のいずれか１項記載の抗体を含んでなる医薬組成物。
【請求項８】
虚弱、悪液質、筋肉萎縮、筋肉虚弱、筋疾患、筋ジストロフィー、骨粗鬆症、ＣＯＰＤ、腎不全若しくは腎疾患、肝不全又は疾患、心不全、ＩＩ型糖尿病又はメタボリックシンドロームから選択される１つ以上の症状の治療若しくは予防に用いられる、請求項１から６のいずれか１項記載の抗体を含んでなる医薬組成物。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
組成物の少なくとも１つの胃腸への有害な作用を、哺乳動物において改善または解消する、沈殿または粒子を実質的に含まない水溶液であって、
（ａ）胆汁酸、胆汁酸の水溶性誘導体、胆汁酸塩、およびアミド連結によりアミンと共役した胆汁酸から成る群から選択される第１の物質と、
（ｂ）水溶性澱粉変換産物または水溶性非澱粉多糖類から成る群から選択される糖質と、
（ｃ）水と、を含み、
前記第１の物質と前記糖質との双方が、水系で得られるあらゆるｐＨ値に対し溶液のままで残留する、前記水溶液。
【請求項２】
前記組成物は、アルコール、非ステロイド系抗炎症薬、胃腸刺激性薬剤、およびこれらの組み合わせから成る群から選択される化合物を含む、請求項１に記載の水溶液。
【請求項３】
前記胃腸刺激性薬剤は、抗生物質、副腎皮質ステロイド、抗癌薬、およびこれらの組み合わせから成る群から選択される、請求項２に記載の水溶液。
【請求項４】
前記組成物は、エタノール、アスピリン、メチルサリチレート、ジフルニサル、インドメタシン、スリンダク、ジクロフェナク、イブプロフェン、ケトプロフェン、ナプロキセン、ケトロラク、メフェナム酸、ピロキシカム、メロキシカム、コキシブ系セレコキシブロフェコキシブ、バルデコキシブ、パレコキシブ、エトリコキシブ、ニメスリド、アミノグルテチミド、アナストロゾール、ビカルタミド、クロラムブシル、シクロホスファミド、シタラビン、ジエチルジチオカルバメート、ダカルバジン、フルタミド、レトロゾール、ロムスチン、メルカプトプリン、メトトレキセート、ニルタミド、プリカマイシン、塩酸プロカルバジン、タクロリムス水和物、コルチゾール、コルチゾン、プレドニゾン、プレドニゾロン、メチルプレドニゾロン、トリアムシノロン、フルプレドニゾロン、ベタメタゾン、デキサメタゾン、フルドロコルチゾン、デソキシコルチコステロンアセテート、およびこれらの組み合わせから成る群から選択される化合物を含む、請求項２に記載の水溶液。
【請求項５】
前記組成物は、最大１００％のエタノール（ｗ／ｗ）を含む、請求項４に記載の水溶液。
【請求項６】
前記組成物は、約２０％を超えるエタノール（ｗ／ｗ）を含む、請求項４に記載の水溶液。
【請求項７】
前記組成物は、約２０％未満のエタノール（ｗ／ｗ）を含む、請求項４に記載の水溶液。
【請求項８】
前記対象は哺乳類である、請求項１に記載の水溶液。
【請求項９】
前記対象はヒトである、請求項８に記載の水溶液。
【請求項１０】
前記第１の物質は、治療に有効な量で存在する、請求項１に記載の水溶液。
【請求項１１】
前記第１の物質は、ケノデオキシコール酸、コール酸、ヒオデオキシコール酸、デオキシコール酸、７−オキソリトコール酸、リトコール酸、ヨードデオキシコール酸、イオコール酸、タウロウルソデオキシコール酸、タウロケノデオキシコール酸、タウロデオキシコール酸、グリコウルソデオキシコール酸、タウロコール酸、グリココール酸、これらのステロイド核のヒドロキシルまたはカルボン酸基誘導体、これらの塩、またはこれらのアミンとの抱合体から成る群から選択される、請求項１に記載の水溶液。
【請求項１２】
前記水溶性澱粉変換産物は、マルトデキストリン、デキストリン、液体グルコース、固形コーンシロップ、および可溶性澱粉から成る群から選択される、請求項１に記載の水溶液。
【請求項１３】
前記ｐＨは、約１〜約１０である、請求項１に記載の水溶液。
【請求項１４】
前記第１の物質は、ウルソデオキシコール酸またはウルソデオキシコール酸のナトリウム塩である、請求項１に記載の水溶液。
【請求項１５】
前記水溶性澱粉変換産物は、マルトデキストリンを含む、請求項１に記載の水溶液。
【請求項１６】
前記水溶性澱粉変換産物は、固形コーンシロップを含む、請求項１に記載の水溶液。
【請求項１７】
前記水溶性非澱粉多糖類は、デキストラン、グアーガム、ペクチン、難消化性可溶性繊維から成る群から選択される、請求項１に記載の水溶液。
【請求項１８】
前記胃腸への有害な作用は、前記胃十二指腸への有害作用を含む、請求項１に記載の水溶液。
【請求項１９】
前記胃腸への有害な作用は、胃十二指腸粘膜の細胞死、胃腸のネクローシス、胃腸のアポトーシス、胃十二指腸粘膜病変、胃十二指腸粘膜びらん、胃十二指腸潰瘍、胃腸癌、胃腸出血、上腹部痛、胃炎、胃腸の発赤、胃腸の浮腫、およびこれらの組み合わせから成る群から選択される作用を含む、請求項１に記載の水溶液。